(57)【要約】【課題】多種にわたる気象事象からスラット間の開度を制御することができるブラインドシャッター装置を提供する。  【解決手段】  本発明のブラインドシャッター装置は、複数のスラット１８から構成されるシャッター１３と、複数のスラット１８を巻き取り軸１２に巻き取り且つ巻き取り軸１２から巻き戻し及び隣接するスラット１８間の開度の大きさを変更するためにスラット１８を動かす駆動部１１と、駆動部１１を駆動させる制御部２Ａと、を有し、建築物の開口部９３に設置されるブラインドシャッター装置１０であって、制御部２は、電気通信回線８１を通じて情報源８２から気象事象を取得する気象事象取得部２２を有し、駆動部１１を駆動させて取得した前記気象事象に基づいてスラット１８の状態を制御することを特徴とする。【選択図】図４
2014101723.tif 000002
【特許請求の範囲】
【請求項１】
複数のスラットから構成されるシャッターと、前記複数のスラットを巻き取り軸に巻き取り且つ前記巻き取り軸から巻き戻し及び隣接する前記スラット間の開度の大きさを変更するために前記スラットを動かす駆動部と、前記駆動部を駆動させる制御部と、を有し、建築物の開口部に設置されるブラインドシャッター装置であって、
前記制御部は、電気通信回線を通じて情報源から気象事象を取得する気象事象取得部を有し、前記駆動部を駆動させて前記スラットを取得した前記気象事象に基づいて前記巻き取り、巻き戻し、及び／又は前記スラット間の開度を制御するブラインドシャッター装置。
【請求項２】
前記制御部は、取得した前記気象事象に基づいて前記スラットの状態を巻き戻し及び／又は前記スラット間の開度を小さくした場合に、変更前の前記スラットの状態を記憶する記憶部を有し、
前記気象事象に基づいて前記スラットの状態を変更した後、前記気象事象が解消した場合に、前記スラットの状態を前記記憶部に記憶された前記状態に復帰させる請求項1に記載のブラインドシャッター装置。
【請求項３】
前記制御部は、所定通知先に、前記スラットの状態を制御する前に制御する内容を通知し、及び／又は前記スラットの状態を制御した後に前記制御した内容を通知する通知部を有する請求項１又は２に記載のブラインドシャッター装置。
【請求項４】
前記気象事象とは、気象予報、降雨率、注意報、警報、花粉飛散量、黄砂飛散量、台風、竜巻、地震速報、又は放射能飛散量などである請求項１〜３の何れか１項に記載のブラインドシャッター装置。
【発明の詳細な説明】
【技術分野】
【０００１】
本発明は、ブラインドシャッター装置に関し、特にスラットの開度を調整する機能を有するブラインドシャッター装置に関する。
【背景技術】
【０００２】
ブラインドシャッター装置は、横手方向に長い複数毎のスラットが前後で当接してシャッターとして機能する以外に、スラット間の開度（スラット開度）を調整し、スラットをブラインドとして機能させて屋内への風や光の入り具合を調整することができる。ブラインドシャッター装置は、スラットがブラインドとして機能する際、各スラットを回動させてスラット開度を調整することができる装置がある。
【０００３】
ところで、特許文献１には、雨、風、日射量検知手段を持ち、屋内に干している布団や洗濯物が濡れないことを目的として、雨よけ部材（スラット）の内側に雨が入らないように雨よけ部材の角度を制御する装置が開示されている。しかし、特許文献１の装置で用いられる検知手段は、雨よけ部材の近傍に設置される必要があり、設置場所によっては適切な検知結果を取得できない場合が考えられる。近隣にマンションが建ち、日射量を検知できなかったり、汚れの付着で正確な情報を取得できなかったり、などである。また、特許文献１の装置は、携帯電話などをリモコンのように使い、遠隔で制御指示を出すこともできるが、装置が設置されている場所と携帯電話から指示を出す人間がいる場所が必ずしも同じ天候であるとは限らないという問題もある。
【０００４】
更に、ブラインドシャッター装置が設置されている場所毎の天気を反映させて制御を行おうとすると、ブラインドシャッター装置毎に種々のセンサを設ける必要が生じる。
【先行技術文献】
【特許文献】
【０００５】
【特許文献１】特開２００６−３７３９５号公報
【発明の概要】
【発明が解決しようとする課題】
【０００６】
本発明は、上記状況に鑑みてなされたもので、新たにセンサを設けなくても多種にわたる気象事象からスラットを巻き取り軸に巻き取ったり、巻き取り軸から巻き戻したり、スラット間の開度を制御することができるブラインドシャッター装置を提供することを解決すべき課題とする。
【課題を解決するための手段】
【０００７】
（１）上記課題を解決するためのブラインドシャッター装置の発明の構成上の特徴は、複数のスラットから構成されるシャッターと、前記複数のスラットを巻き取り軸に巻き取り且つ前記巻き取り軸から巻き戻し及び隣接する前記スラット間の開度の大きさを変更するために前記スラットを動かす駆動部と、前記駆動部を駆動させる制御部と、を有し、建築物の開口部に設置されるブラインドシャッター装置であって、
前記制御部は、電気通信回線を通じて情報源から気象事象を取得する気象事象取得部を有し、前記駆動部を駆動させて前記スラットを取得した前記気象事象に基づいて前記巻き取り、巻き戻し、及び／又は前記スラット間の開度を制御することである。
【０００８】
ここで、開度とはスラット間の隙間に関する大きさであり、例えばスラットが回動する場合は基準値からの角度に関連するものであり、スラットが回動しない場合にはスラット間の間隔に関連するものである。両者の組み合わせで開度が決定されるシャッターも想定できる。電気通信回線とは、有線（電気的なもの、光）、無線（電波、光）を問わず形成される回線を介して情報を信号としてやりとりするものであり、例えば電話回線や光ファイバー回線など有線の通信回路を通じて通信するものや、送受信装置を用いて無線にて通信をおこなうもの、更には、ラジオやテレビなどの電波（地上波や通信衛星、放送衛星などを利用するものも含む）に信号が重畳されることでその電波を受信することにより通信するものなどが挙げられる。ここで、情報源とは前述の電気通信回路を用いて気象事象の情報を発信する源で有り、電気通信回路の種類により具体的なものは変化する。例えばインターネット上にてサーバを介して情報を公開している事業者（気象庁や気象情報提供会社など）、ラジオ局、テレビ局などである。気象事象としては、現在の気象、気象予報、注意報、防災情報などがある。さらに具体例としては、降雨情報、降雨率（降水確率）、注意報や警報、花粉や黄砂の飛散量などである。
【０００９】
上記（１）の発明は以下に記す（２）〜（４）の構成のうちの１つ以上を任意に加えて採用できる。
【００１０】
（２）の発明は前記制御部が、取得した前記気象事象に基づいて前記スラットの状態を巻き戻し及び／又は前記スラット間の開度を小さくした場合に、変更前の前記スラットの状態を記憶する記憶部を有し、
前記気象事象に基づいて前記スラットの状態を変更した後、前記気象事象が解消した場合に、前記スラットの状態を前記記憶部に記憶された前記状態に復帰させることができる。
【００１１】
ここで、スラットの状態とは、スラットが巻き取り軸に全て巻き取られた全開、スラットが全て戻された全閉、又はスラット間の開度の大きさ（全開と全閉との間でスラット間の大きさを変更できるのを含む）の何れかの状態のことである。
【００１２】
（３）の発明は前記制御部が、所定通知先に、前記スラットの状態を制御する前に制御する内容を通知し、及び／又は前記スラットの状態を制御した後に前記制御した内容を通知する通知部を有することである。所定通知先とは、予め登録されている電話番号やメールアドレスなどであり、音声や文字・記号などを取得できるものである。
【００１３】
（４）の発明は前記気象事象とは、前記気象事象とは、気象予報、降雨率、注意報、警報、花粉飛散量、黄砂飛散量、台風、竜巻、地震速報、又は放射能飛散量などである。
【発明の効果】
【００１４】
（１）の発明においては、電気通信回線を利用して、気象事象を取得し、取得した気象事象に基づいてスラットの状態を制御する。例えば、スラット間が一定の開度で開いている開状態で外出中に雨が降れば、スラット開度を小さく（例えば全閉状態に）したいが、すぐに外出先から戻れずにスラット開度を調節することができなかったり、調節できるとしても調節することを失念することもある。また、外出先とブラインドシャッター装置が設置されている場所とでは気象事象が異なり、そもそもスラット開度を小さくすべき事象が生じていることに気が付かない場合がある。そのような場合に、（１）に係る発明によれば、雨、降雨予報などの気象事象に基づいてスラット開度を小さくすることができる。気象事象の取得に電気通信回線を利用することで、ブラインドシャッター装置の設置場所の現在の気象、気象予報を逐次取得することができるため、取り付け場所が制限されたり、汚れの付着で正確な情報が取得できにくくなるセンサを取り付ける必要がない。また、電気通信回線を利用することで、１つの情報源を複数のブラインドシャッター装置の制御に用いることが可能になり、１つのブラインドシャッター装置当たりのコストが低くなって、情報源を多種多様な気象事象が取得できる装置にすることができる。
【００１５】
例えば、予報、注意報、警報、花粉飛散量、黄砂飛散量、竜巻情報（位置や規模など）、台風情報（位置、規模、予想ルートなど）、放射能飛散量などがある。これらの情報のうちセンサによって取得できるものもあるが、１種類の検知のみとなる専用のセンサをそれぞれ取り付けるのは煩雑であり、取り付け場所も考慮しなければならず、コストがかかることが予想される。そして、１つのセンサが複数の情報を検知できたとしても高価であると予想される。また、シャッター装置にセンサを設けた場合にはシャッター装置自身がその気象事象に曝されないとその事象が発生したことを取得できないが、情報源を利用することで遠くの場所で発生した事象に基づき将来に発生が予測される気象事象を予測してシャッター装置の制御に利用することができる。
【００１６】
つまり、電気通信回線を利用すれば、コストを抑えて、センサで検知してからでは対応が遅い気象や気象予報を取得できる。よって、（１）の発明によれば、多種にわたる気象事象からスラット開度を制御することができる。
【００１７】
（２）の発明によれば、制御部がスラットの状態を記憶する記憶部を有するため、スラットの状態を巻き戻し及び／又はスラット開度を小さくした後、スラットの状態を変更した気象事象が回復すれば、スラットの状態を前の状態に戻すことができる。これは、使用者がスラットを開けていたということは何らかの事情で空気の流通などを行いたいとの意思表示であるため、スラット開度を大きくしていることで不都合が生じると予測される気象事象が解消された場合には元のスラット開度に復帰させることが妥当であるものと考えられるからである。
【００１８】
（３）の発明によれば、制御部がスラットの状態を制御すること、また制御したことを通知することができる通知部を有するため、通知先では、先に通知する場合は制御の許可を判断したり、後に通知する場合は制御がエラーなく行えたか等を知ることができる。
【００１９】
（４）の発明によれば、気象事象として多種なものが取得できる。
【図面の簡単な説明】
【００２０】
【図１】実施形態のブラインドシャッター装置１０の構成を示す概略図である。
【図２】実施形態のブラインドシャッター装置１０のシャッター１３が全閉状態の斜視図である。
【図３】実施形態のブラインドシャッター装置１０のシャッター１３がブラインド状態の斜視図である。
【図４】実施形態１のブラインドシャッター装置１０の構成を示す概略図である。
【図５】実施形態１のブラインドシャッター装置１０の制御部２Ａで実行される閉制御のフローチャートである。
【図６】実施形態１のブラインドシャッター装置１０の制御部２Ａで実行される開制御のフローチャートである。
【図７】実施形態２のブラインドシャッター装置１０の構成を示す概略図である。
【図８】実施形態２のブラインドシャッター装置１０の制御部２Ｂで実行される閉制御チャートである。
【図９】実施形態２のブラインドシャッター装置１０の制御部２Ｂで実行される開制御チャートである。
【発明を実施するための形態】
【００２１】
本発明の代表的な実施形態を図１〜図９を参照して説明する。本実施形態に係るブラインドシャッター装置１０は、例えば図１に示すように、建築物の開口部（窓など）９３に取り付けられる。
【００２２】
各実施形態で用いられるブラインドシャッター装置１０は、モータ（駆動部）１１と、モータ１１によって回転駆動する巻き取り軸１２と、縦方向に延びる平行に並走された２本のガイドレール部１５と、ガイドレール部１５に沿って昇降され昇降に伴い開閉させるシャッター１３と、モータ１１および巻き取り軸１２を格納する格納ボックス１６と、制御部２とを備える。制御部２は、例えば格納ボックス内１６に内蔵される。そして、シャッター１３は、下端に位置する座板１７と、座板１７より上側の部分を構成する多数のスラット１８とによって構成されている。スラット１８は横長に延設されており、上下方向に複数個並設されている。ブラインドシャッター装置１０は、スラット１８が巻き取り軸１２に巻き取られて窓９３が直接外部に露出するシャッター使用形態と、各スラット１８がそれぞれ回動してスラット１８をブラインドとして使用するブラインド使用形態とに使い分けることができる。
【００２３】
スラット１８をシャッターとして使用する場合、モータ１１は、シャッター１３を巻き取り軸１２に巻き取る巻き取り方向（矢印Ｙ１方向）と、巻き取り軸１２に巻き取られているシャッター１３を巻き戻す巻き戻し方向（矢印Ｙ２方向）と、に回転可能とされている。シャッター１３はモータ１１の一方向の回転により上昇し、モータ１１の他方向の回転により下降する。スラット１８が全て取られて窓９３が外部に直接露出する状態を全開、スラット１８が全て巻き下ろされて窓９３が隠れている状態を全閉状態とする。
【００２４】
そして、スラット１８をブラインドとして使用する場合、各スラット１８はモータ１３（別の駆動装置でも良い）の駆動によって、上下方向で隙間のない全閉状態（図２）から、各スラット１８間に隙間のあるブラインド状態（図３）に回動することができる。全閉状態のスラット１８はほぼ鉛直方向に平行であり、ほぼ水平方向まで開回動できる。回動は、所定角度毎に回動し、開度を調整することができる。なお、所定角度としては５度、１０度、１５度、２０度など、適宜、選択・設定できる。本実施形態では、開度をスラット１８がほぼ鉛直状態から回動する角度として記載する。
【００２５】
シャッター１３を巻き取ったり、巻き戻したり、またスラット１８をブラインドとして使用したりするには、コントローラ（図示略）を使用する。コントローラは制御部２Ａに入力された動作に必要な情報（電気信号）を出力し、制御部２Ａが受信した情報を元に必要な指令（電気信号）を各構成要素に出力する。コントローラに表示パネルやランプが取り付けられており記号・文字などが表示できたり、点灯できたりする場合、制御部２から制御状態や異常が発生していないかなどが表示される。コントローラと制御部２とは、電気信号などが送受信できる状態であれば有線でも無線でもよく、コントローラは建築物の内部に配置されている。また、１つの建築物に対して、ブラインドシャッター装置１０が各開口部９３に取り付けられている場合、全てのブラインドシャッター装置１０を１つのコントローラで制御することも、各開口部９３付近に配置されている各コントローラで個別に制御することもできる。そして、制御部２はコントローラ以外の装置、例えば各人が携帯する携帯装置（携帯電話、スマートフォンや電子手帳などを含む）や住宅設備を集中制御できるＨＥＭＳ（Home Energy Management System）などからの出力も受信でき、送信（出力）も行える。携帯装置は、無線通信（例えば、赤外線通信や電波（Bluetooth（ＴＭ）など））によってブラインドシャッター装置１０に制御指示をすることができ、ＨＥＭＳは無線又は有線によって制御指示をすることができる。
【００２６】
制御部２は、電気通信回線８１を通じて情報源８２から気象事象などの必要な情報を取得することができる。必要な情報としては、ブラインドシャッター装置１０が設置されている地域の現在の気象、気象予報、注意予報、防災情報などがある。さらに具体例としては、降雨情報、降雨率（降水確率）、注意報や警報、花粉や黄砂情報、緊急地震情報あるいは放射線量情報などである。ブラインドシャッター装置１０のスラット１８の状態を変更するのに適当で且つ電気通信回線８１を通じて取得できる情報が望ましいため、いわゆるインターネット上に公開される情報以外に、ラジオ局やテレビ局なども電波（電気通信回線８１）を通じて気象事象を取得できる情報源８２の１つである。
【００２７】
また、制御部２は格納ボックス１６ではなく、ＨＥＭＳなどの装置に配置されていても良い。つまり、モータ１１が制御部２の指示で駆動することができれば、制御部２の位置はどこでも良い。そして、制御部２とモータ１１とは、有線又は無線で指示（情報）の送受信が行える構成である。
【００２８】
（実施形態１）
本実施形態１のブラインドシャッター装置１０で用いられる制御部２Ａは、図４に示すように、スラット開度取得部２１と気象事象取得部２２とスラット変更判断部２３と記憶部２４とを有する。スラット開度取得部２１は、現在のスラット１８の開度（以下では、スラット１８の状態として簡単に、開度が０の場合を閉状態、開度が０でない場合を開状態と記載する場合がある）を取得することができる。気象事象取得部２２は、電気通信回線８１を介して気象事象を取得することができる。スラット変更判断部２３は、取得された気象事象が現在のスラット１８の状態を変更するかどうかを判断する。スラット１８の状態を変更するかどうか判断するための基準は、予め設定しておく。例えば、降水確率７０％以上の場合にはスラット１８を閉状態（スラット開度を０度）にする、黄砂情報が発令されれば、スラット１８を閉状態にする、降水確率が１０％以下の場合にはスラット１８を開状態（開度は設定しておく。必要が無い場合には開かないように設定することもできる）にする。気象事象取得部２２では、入手可能な全ての気象事象を取得し、必要なものについてスラット変更判断部２３で使用する方法、又はスラット変更判断部で使用する気象事象だけを取得してくる方法などが考えられる。記憶部２４は、スラット開度取得部２１で取得したスラットの開度を記憶することができる。
【００２９】
そして、制御部２Ａでは以下に示す２つの制御方法、閉制御及び開制御によってスラット１８の開度（開閉）の制御を行う。まず、閉制御は、スラット１８を開状態にしており、閉状態にしたい気象事象が取得された場合の制御である。取得された気象事象に基づいてスラットを閉状態にすることを判断するときにはその気象事象がある閉基準値を満たすか否かで判断する。具体的な閉基準値としては、例えば降水確率７０％以上、暴風注意報の発令、一定量以上の花粉飛散（量）情報、一定量以上の黄砂飛散（量）情報、一定量以上の放射能飛散（量）情報である。飛散するものを基準とする場合は、一定量以上の飛散を基準とする場合の他、単に飛散が観測されるという情報だけでも良い。
【００３０】
次に、開制御は、スラット１８を閉状態にしており、開状態にしたい気象事象が取得された場合の制御である。開状態にする基準は、例えば、閉基準値に一致しない場合や、その他、独立した基準（開基準）を設けることができる。例えば、開基準として降水確率１０％以下などの場合を採用する。そして、スラット開度としては、一定の開度あるいは気象事象毎に異なるスラット開度を設定することができる。
【００３１】
（閉制御）
制御部２Ａで実行される閉制御について、図５に示すフローチャートを参照して説明する。なお、制御部２Ａで実行される閉制御は、図５に示すフローチャートに限定されるものではなく、あくまでも一例である。
【００３２】
制御部２Ａは、まずスラット開度取得部２１によって現在のスラット１８の開度を取得し、初期開度及び変更開度として記憶部２４に記憶する（ステップＳ３１）。次に、気象事象取得部２２によって情報源８２から気象事象を取得する（ステップＳ３２）。そして、スラット変更判断部２３によって、気象事象と閉基準値とを比較して（ステップＳ３３）、閉状態にする場合はステップＳ３４を実行し、閉状態にする必要がない場合はステップＳ３５を実行する。ステップＳ３４では、現在のスラット１８の開度（変更開度）が０か０でないかを判断する。閉状態の場合はステップＳ３２に戻る。開状態の場合はスラット１８を開度０度に回動させるようにモータ１１に指示を出し（ステップＳ３６）、記憶部２４の変更開度を０と記憶し（ステップＳ３７）、ステップＳ３２に戻る。
【００３３】
ステップＳ３５では、現在のスラット１８の開度が０か０でないか判断する。０でない場合はステップＳ３２に戻る。スラット１８が閉状態の場合はスラット１８を記憶部２４に記憶した初期開度に開回動するようにモータ１１に指示を出し（ステップＳ３８）、記憶部２４の変更開度として初期開度を記憶し（ステップＳ３９）、ステップＳ２２に戻る。
【００３４】
（開制御）
制御部２Ａで実行される開制御について、図６に示すフローチャートを参照して説明する。なお、制御部２Ａで実行される開制御は、図６に示すフローチャートに限定されるものではなく、あくまでも一例である。
【００３５】
制御部２Ａは、まず変更開度として０を記憶部２４に記憶する（ステップＳ４１）。次に、気象事象取得部２２によって情報源８２から気象事象を取得する（ステップＳ４２）。そして、スラット変更判断部２３によって、気象事象と閉基準値とを比較して（ステップＳ４３）、開状態にできる場合はステップＳ４４を実行し、開状態にできない場合はステップＳ４５を実行する。ステップＳ４４では、現在のスラット１８の開度が０か０でないかを判断する。０でない場合はステップＳ４２に戻る。０の場合はスラット１８を開回動させるようにモータ１１に指示を出し（ステップＳ４６）、記憶部２４に変更開度として現在のスラット１８の開度を記憶し（ステップＳ４７）、ステップＳ４２に戻る。
【００３６】
ステップＳ４５では、現在のスラット１８の開度が０か０でないかを判断する。０であればステップＳ４２に戻る。０でない場合はスラット１８を閉回動するようにモータ１１に指示を出し（ステップＳ４８）、変更開度を０と記憶部２４に記憶し（ステップＳ４９）、ステップＳ４２に戻る。
【００３７】
（閉制御と開制御）
閉制御及び開制御ともに、外出する際に実行する場合が考えられる。まず、スラット１８を開状態にしたまま外出する際、外出ボタン（図示略）を押して外出する。外出中に天候が変わり、閉基準値に一致する場合はスラット１８を閉状態に変更する。そして、閉基準値に一致しない天候の変化があれば、記憶した初期開度にスラット１８を開回動する。また、スラット１８が開状態にできない天候で、天候が回復したら開状態にしたい場合は開変更ボタン（図示略）を押して外出する。外出中に天候が閉基準値に一致しなくなればスラット１８を開回動する。開状態する際のスラットの開度は、予め設定されている一定の開度や気象の種類に合わせた開度にする。外出ボタン及び開変更ボタンは例えばコントローラに配置されている。なお、スラット１８が開状態の場合は、外出ボタンの押したにかかわらず、閉基準値に一致する天候になった場合、閉状態に変更するという制御も考えられる。外出ボタンの押したを忘れる場合も考えられるし、外出していなくても天候の変化に気づかない場合や気づきにくい天候変化（例えば、花粉や黄砂飛散、竜巻の発生、放射線量）の場合もあるためである。
【００３８】
反対にスラットを閉じた状態に使用者が調節した場合には明確な使用者の希望（「スラットを開けることができる場合には開けるボタン」を設け、そのボタンを押した、などの場合）が無い限り気象事象がスラット開度を大きくすることに適した状態であってもスラット開度は大きくしない。ただし、先述したような使用者の明確な希望があれば気象事象の変化に伴い、閉じているスラットを開ける方向に制御してもよい。
【００３９】
（効果）
本実施形態１のブラインドシャッター装置１０は、電気通信回線を利用して、気象事象を取得し、開状態のスラット１８は閉状態に、開状態のスラット１８は開状態に制御することができる。気象事象の取得に電気通信回線を利用することで、設置場所の現在の気象事象、気象予報を逐次取得することができるため、取り付け場所が制限されたり、汚れの付着で正確な情報が取得できなくなるセンサを取り付ける必要がない。また、電気通信回線を利用することで、多種多様な気象事象が取得できる。例えば、気象、気象予報、注意報、警報、花粉飛散（量）、黄砂飛散（量）、竜巻の発生、放射能の飛散量などがある。よって、本実施形態１のブラインドシャッター装置１０によれば、多種にわたる気象事象からスラットの開閉を制御することができる。
【００４０】
また、本実施形態１のブラインドシャッター装置１０は、制御部２Ａがスラットの開度を初期開度や変更開度のように記憶することができる記憶部２４を有するため、スラット１８の状態を変更される前の状態に戻すなどの制御ができる。
【００４１】
（実施形態２）
本実施形態２のブラインドシャッター装置１０は、図７に示すように、実施形態１のブラインドシャッター装置１０と基本的な構成は同じであり、同様の作用効果を有する。以下では、異なる構成を中心に説明していく。
【００４２】
本実施形態２のブラインドシャッター装置１０で用いられる制御部２Ｂは、図７に示すように、スラット開度取得部２１と気象事象取得部２２とスラット変更判断部２３と記憶部２４と通知部２５とを備える。スラット開度取得部２１、気象事象取得部２２、スラット変更判断部２３と記憶部２４のそれぞれは、実施形態１のブラインドシャッター装置１０で用いられる制御部２Ａのスラット開度取得部２１、気象事象取得部２２、スラット変更判断部２３と記憶部２４にそれぞれ対応する。通知部２５は、スラット変更判断部２３でスラットの状態を変更すると判断された場合に、一定時間後に変更することを登録されている通知先に通知し、一定時間待機することを制御部２Ｂに通知する。そして、制御部２Ｂからスラット１８の状態を変更したことを取得後、変更したことを通知先に通知する。ここで、通知先としては、携帯電話、携帯電話のメールアドレス（携帯番号）や指定された電子メールアドレスなどである。通知先が電話の場合は音声によるメッセージ、通知先がメールアドレスの場合は文章や記号によるメッセージを自動で送信する。
【００４３】
次に、制御部２Ｂで実行される制御内容について図８及び図９に示すフローチャートを参照して説明する。制御部２Ｂで実行される制御内容は、図８及び図９に示すフローチャートに限定されるものではなく、あくまでも一例である。なお、図８は閉制御、図９は開制御のフローチャートである。
【００４４】
（閉制御）
制御部２Ｂが実行する閉制御のステップのうち、ステップＳ３１〜ステップＳ３９は実施形態１のブラインドシャッター装置１０で用いられる制御部２Ａの閉制御と同じであるため、主に異なる制御内容について説明する。
【００４５】
制御部２Ｂは、ステップＳ３４とステップＳ３６との間にステップＳ５１、ステップＳ３７の後にステップＳ５２、ステップＳ３５とステップＳ３８との間にステップＳ５３、及びステップＳ３９の後にステップＳ５４が追加されている。ステップＳ５１では、通知部２５が気象事象とスラット１８を閉状態にする事を登録されている通知先に通知し、一定時間待機する。ステップＳ５２ではスラット１８を閉状態に変更した事を通知先に通知する。また、ステップＳ５３では、通知部２５が気象事象とスラット１８を開状態にする事を通知先に通知し、一定時間待機する。ステップＳ５４ではスラット１８を開状態に変更した事を通知先に通知する。
【００４６】
（開制御）
制御部２Ｂが実行する開制御のステップのうち、ステップＳ４１〜ステップＳ４９は実施形態１のブラインドシャッター装置１０で用いられる制御部２Ａの開制御と同じであるため、主に異なる制御内容について説明する。
【００４７】
制御部２Ｂは、ステップＳ４４とステップＳ４６との間にステップＳ６１、ステップＳ４７の後にステップＳ６２、ステップＳ４５とステップＳ４８との間にステップＳ６３、及びステップＳ４９の後にステップ６５４が追加されている。ステップＳ６１では、通知部２５が気象事象とスラット１８を開状態にする事を登録されている通知先に通知し、一定時間待機する。ステップＳ６２ではスラット１８を開状態に変更した事を通知先に通知する。また、ステップＳ６３では、通知部２５が気象事象とスラット１８を閉状態にする事を通知先に通知し、一定時間待機する。ステップＳ６４ではスラット１８を閉状態に変更した事を通知先に通知する。
【００４８】
（効果）
本実施形態２のブラインドシャッター装置１０によれば、制御部２Ｂが、スラット１８の状態が変化することを予め登録された通知先に通知し、また変更したこと等を通知する通知部２５を有するため、通知を受けた側で許可をしなかったり、スラット１８の状態が変更できないなどのエラーの通知を受けるなどもできる。
【００４９】
（その他の実施形態）
以上、本発明の好適な実施形態について説明したが、本発明は上記実施形態に限定されるものではない。例えば、建築物に取り付けられているブラインドシャッター装置１０を一括して同じ制御にすることも、取り付けられている方位毎で制御を変更することも考えられる。
【００５０】
また、スラット１８の開度を制御するだけでなく、スラット１８をシャッターとして全開、全閉、及び全開と全閉との間の位置でスラット１８の状態を変更することもできる。建築物内に人がいれば、スラット１８の座板が下についていない位置で、スラット１８をブラインドとして使用していることも考えられる。例えば、スラット１８を巻き取り軸１２に少し巻き取ってスラット１８をブラインドとしても使用しており、緊急地震速報によって全開にする、等が考えられる。
【００５１】
また、スラット変更判断部２３で利用される基準値としては、取得した気象事象そのものを加工せずに使用したり、複数地域の平均値を使用したり、時間による平均値を使用したりなど、取得した気象事象を加工して使用することも考えられる。
【００５２】
その他に、実施形態２のブラインドシャッター装置１０において、通知部２５の待機時間は閉状態にする場合と開状態にする場合とで別の時間を設定したり、天候の種類によって変更したり、変更後の通知だけを行ったりなどの制御とすることも考えられる。例えば、竜巻情報を取得した場合は直ちに閉回動し、その前後にその旨を通知する。
【符号の説明】
【００５３】
１０：ブラインドシャッター装置、
１１：モータ（駆動部）、１２：巻き取り軸、１３：シャッター、
１４：スラット開度変更操作部、１５：ガイドレール部、１６：格納ボックス、
１７：座板、１８：スラット、
２，２Ａ，２Ｂ：制御部、２１：スラット開度取得部、２２：気象事象取得部、
２３：スラット変更判断部、２４：記憶部、２５通知部、
９３：窓。
【図１】
2014101723.tif 000003
【図２】
2014101723.tif 000004
【図３】
2014101723.tif 000005
【図４】
2014101723.tif 000006
【図５】
2014101723.tif 000007
【図６】
2014101723.tif 000008
【図７】
2014101723.tif 000009
【図８】
2014101723.tif 000010
【図９】
2014101723.tif 000011